(57)【特許請求の範囲】
【請求項１】
検出区域になる矩形の４つの辺に順に配置される第一導光体と、第二導光体と、前記第一導光体と向き合う第三導光体と、前記第二導光体と向き合う第四導光体と、を具備し、前記第一導光体と第二導光体は、前記検出区域と向き合う第一表面を具備し、前記第三導光体と第四導光体は、前記検出区域と向き合う光射出部と、前記光射出部と向き合う且つ表面に鏡面式反射材料層が形成される第二表面と、前記光射出部と前記第二表面との間に接続される光入射部と、を具備する鏡面式導光体から構成される導光部品と、
前記第三導光体の光入射部に光線を提供する第一発光ランプと、前記第四導光体の光入射部に光線を提供する第二発光ランプと、を具備し、前記第一発光ランプと第二発光ランプが交互に発光し、前記第一導光体と第二導光体が前記発光ランプの光線を前記検出区域に導光する発光モジュールと、
前記第一導光体と第二導光体が隣接する所に設置され、且つ前記検出区域、第三導光体、第四導光体がみんな検出範囲に入っている画像検出装置と、を含むことを特徴とする光学式タッチ装置。
【請求項２】
前記第一導光体と第二導光体は、光射出面になる第一表面と、前記第一表面と相対する光反射面と、前記第一表面と光反射面に垂直に接続される光入射面と、を含む導光体から構成され、
前記発光モジュールは、前記第一導光体と第二導光体の光入射面に光線を提供し、前記第一発光ランプは、前記第二導光体と第三導光体が隣接する所に設置されて、前記第二導光体の光入射面に光線を提供し、前記第二発光ランプは、前記第一導光体と第四導光体が隣接する所に設置されて、前記第一導光体の光入射面に光線を提供することを特徴とする請求項１に記載の光学式タッチ装置。
【請求項３】
前記第一導光体と第二導光体は、第一表面から構成される反射表面を具備する反射素子から構成され、
前記発光モジュールは、前記第一導光体と前記第二導光体が隣接する所に設置されて検出区域に光線を提供する第三発光ランプをさらに含むことを特徴とする請求項１に記載の光学式タッチ装置。
【請求項４】
前記第一発光ランプと、前記第二発光ランプと、前記第三発光ランプがみんな発光ダイオードから構成されることを特徴とする請求項３に記載の光学式タッチ装置。
【請求項５】
前記鏡面式導光体が真心或いは中空の柱状体に形成されていることを特徴とする請求項１に記載の光学式タッチ装置。
【請求項６】
前記鏡面式導光体が半分の柱状体に形成され、第二表面が曲面に形成されることを特徴とする請求項５に記載の光学式タッチ装置。
【請求項７】
前記鏡面式導光体は、光入射部が何も設置されない開口或いは透明板から形成される中空体であることを特徴とする請求項１に記載の光学式タッチ装置。
【請求項８】
前記鏡面式導光体の第二表面が曲面或いは平面であることを特徴とする請求項１に記載の光学式タッチ装置。
【請求項９】
前記導光部品と発光モジュールを載せる基板をさらに含むことを特徴とする請求項１に記載の光学式タッチ装置。
【請求項１０】
第一発光ランプがオンされ、第二発光ランプがオフされる場合、前記画像検出モジュールが第一光学情報を検出し、第一発光ランプがオフされ、第二発光ランプがオンされる場合、前記画像検出モジュールが第二光学情報を検出するように、第一発光ランプと第二発光ランプを交互に発光させるステップと、
前記画像検出モジュールが獲る第一光学情報と第二光学情報により検出区域にある遮光物の位置を検出するステップと、を含むことを特徴とする請求項１に記載の光学式タッチ装置に適用する遮光物の位置測定方法。
【発明の詳細な説明】
【技術分野】
【０００１】
本発明は、光学式タッチ装置、前記光学式タッチ装置に適用する遮光物の位置検出方法に関する。
【背景技術】
【０００２】
タッチ装置は直感的に分かりやすく、操作が簡単になる利点があるので、銀行ATM機、自動販売機、携帯電話、携帯情報端末などの電子装置に広く使われている。前記タッチ装置は、抵抗式タッチ装置、コンデンサー式タッチ装置、光学式タッチ装置などがある。違う主要に従って不同なタッチ装置を選ぶことができる。
【０００３】
図１は、従来の技術に係る光学式タッチ装置を示す図である。図１の光学式タッチ装置１００は、導光部品１１０と、発光部品１２０と、画像検出モジュール１３０と、を含む。前記導光部品１１０は、２つの導光体１１２ａ、１１２ｂと、長状鏡（mirror）１１４と、を含む。前記２つの導光体１１２ａ、１１２ｂと前記長状鏡１１４は、別々に検出区域１１６を形成する矩形区域の３つの辺に位置している。前記検出区域１１６で、前記導光体１１２ａと前記長状鏡１１４が向かい合い、前記導光体１１２ｂが導光体１１２ａと長状鏡１１４との間に位置している。前記発光部品１２０は、前記導光体１１２ａと前記導光体１１２ｂが接続する位置に設置されて、２つの導光体１１２ａ、１１２ｂに光線を提供する。前記２つの導光体１１２ａ、１１２ｂは、前記発光部品１２０の光線を線状光源に変換する一方、この線状光源を前記検出区域１１６へ導光する。前記画像検出モジュール１３０は、前記導光体１１２ａの傍に設置されている。前記検出区域１１６は、前記画像検出モジュール１３０が検出できる検出範囲（Field of View, ＦＯＶ）に入っている。
【０００４】
前記画像検出モジュール１３０は、前記検出区域１１６の内の遮光物の存在を判断する一方、遮光物の位置を検出する。具体的に説明すると、前記遮光物が存在する位置存在する前記検出区域１１６のタッチ点Ａの鏡像Ａ１が前記長状鏡１１４により長状鏡１１４の反対側に形成される。前記画像検出モジュール１３０は、画像検出モジュール１３０とタッチ点Ａの延長線に形成される暗点Ａ２と、画像検出モジュール１３０と鏡像Ａ１の延長線に形成される暗点Ａ３を検出する一方、前記発光部品１２０と前記暗点Ａ２との間の距離ｄ１と、前記発光部品１２０と前記暗点Ａ３との間の距離ｄ２を計算する。従って、前記距離ｄ１、ｄ２ともう知っているデータにより前記タッチ点Ａの位置を検出する。もう知っているデータは、前記検出区域１１６のＸ軸長さ、検出区域１１６のＹ軸長さ、前記タッチ点Ａ或いは鏡像Ａ１と前記長状鏡１１４との間の最短距離などを指す。
【発明の概要】
【発明が解決しようとする課題】
【０００５】
前記光学式タッチ装置１００は、遮光物の位置を検出することができるが、遮光物の位置を検出できないか、正確に検出できないブラインド区域１５０（Blind Zone）が形成されている。例えば、前記検出区域１１６のタッチ点Ｂが前記ブラインド区域１５０に入っている。即ち、タッチ点Ｂにより形成される暗点Ｂ２とＢ３が重なっているので、前記画像検出モジュール１３０が前記タッチ点Ｂの位置を検出することができない。
【０００６】
図２は、従来の技術に係る他の光学式タッチ装置を示す図である。図２の光学式タッチ装置１００ａと図１の光学式タッチ装置１００が違い所は、光学式タッチ装置１００ａの導光部品１１０ａが２つの導光体１１２ａ、１１２ｂと、２つの長状鏡１１４ａ、１１４ｂと、を含むことである。前記２つの導光体１１２ａ、１１２ｂと、２つの長状鏡１１４ａ、１１４ｂは、別々に検出区域１１６を形成する矩形区域の４つの辺に位置している。前記検出区域１１６の周囲で、前記導光体１１２ａと導光体１１２ｂが隣接し、前記長状鏡１１４ａと長状鏡１１４ｂが隣接する。
【０００７】
図１の光学式タッチ装置１００と比較すると、図２の光学式タッチ装置１００ａがブラインド区域１５０ａの面積を大幅減らすことができるが、ブラインド区域１５０ａを完全に除くことができない。且つ、光学式タッチ装置１００ａの導光部品１１０ａが２つの長状鏡１１４ａ、１１４ｂと、を含むので、前記検出区域１１６にタッチ点毎に３つの鏡像が形成される。即ち、前記画像検出モジュール１３０が複数の暗点を検出する必要があるので、遮光物の位置を検出する工程が複雑になる。
【０００８】
且つ、前記検出区域１１６に２つのタッチ点がある場合、６個のタッチ点鏡像が形成されるので、２つのタッチ点の位置を検出する工程がさらに複雑になる。前記検出区域１１６に存在するタッチ点の個数が多ければ多いほど、タッチ点の位置を検出する工程がさらに複雑になるので、従来の光学式タッチ装置１００ａは、二点タッチ技術（dual-touch）或いは多点タッチ技術（multi-touch）に適用しない。
【０００９】
本発明の主な目的は、遮光物の位置を検出できないか、正確に検出できないブラインド区域が形成されることを防ぐことができる光学式タッチ装置とその遮光物の位置検出方法を提供することにある。
【課題を解決するための手段】
【００１０】
上記課題を解決するために本発明では、鏡面式導光体から構成される導光部品と、第一発光ランプと第二発光ランプを具備する発光モジュールと、画像検出装置と、を含む光学式タッチ装置を提供する。前記導光部品は、検出区域になる矩形の４つの辺に順に配置される第一導光体と、第二導光体と、前記第一導光体と向き合う第三導光体と、前記第二導光体と向き合う第四導光体と、を具備する。前記第一導光体と第二導光体は、前記検出区域と向き合う第一表面を具備する。前記第三導光体と第四導光体は、前記検出区域と向き合う光射出部と、前記光射出部と向き合う且つ表面に鏡面式反射材料層が形成される第二表面と、前記光射出部と前記第二表面との間に接続される光入射部と、を具備する。発光モジュールは、前記第三導光体の光入射部に光線を提供する第一発光ランプと、前記第四導光体の光入射部に光線を提供する第二発光ランプと、を具備する。前記第一発光ランプと第二発光ランプは交差に発光し、前記第一導光体と第二導光体が前記発光ランプの光線を前記検出区域に導光する。前記画像検出装置は、前記第一導光体と第二導光体が隣接する所に設置されている。前記検出区域、第三導光体、第四導光体がみんな前記画像検出装置の検出範囲に入っている。
【００１１】
前記光学式タッチ装置において、前記第一導光体と第二導光体は、光射出面になる第一表面と、前記第一表面と相対する光反射面と、前記第一表面と光反射面に垂直に接続される光入射面と、を含む導光体から構成される。前記発光モジュールは、前記第一導光体と第二導光体の光入射面に光線を提供する。前記発光モジュールで、前記第一発光ランプは、前記第二導光体と第三導光体が隣接する所に設置されて、前記第二導光体の光入射面に光線を提供し、前記第二発光ランプは、前記第一導光体と第四導光体が隣接する所に設置されて、前記第一導光体の光入射面に光線を提供する。
【００１２】
前記光学式タッチ装置において、前記第一導光体と第二導光体は、第一表面から構成される反射表面を具備する反射素子から構成されている。前記発光モジュールは、前記第一導光体と前記第二導光体が隣接する所に設置されて検出区域に光線を提供する第三発光ランプをさらに含む。
【００１３】
前記光学式タッチ装置において、前記第一発光ランプと、前記第二発光ランプと、前記第三発光ランプがみんな発光ダイオードから構成されている。
【００１４】
前記光学式タッチ装置において、前記鏡面式導光体が真心或いは中空の柱状体に形成されている。
【００１５】
前記光学式タッチ装置において、前記鏡面式導光体が半分の柱状体に形成され、第二表面が曲面に形成されている。
【００１６】
前記光学式タッチ装置において、前記鏡面式導光体が光入射部が何も設置されない開口或いは透明板から形成される中空体である。
【００１７】
前記光学式タッチ装置において、前記鏡面式導光体の第二表面が曲面或いは平面である。
【００１８】
前記光学式タッチ装置において、光学式タッチ装置が前記導光部品と発光モジュールを載せる基板をさらに含む。
【００１９】
上記課題を解決するために本発明では、第一発光ランプがオンされ、第二発光ランプがオフされる場合、前記画像検出モジュールが第一光学情報を検出し、第一発光ランプがオフされ、第二発光ランプがオンされる場合、前記画像検出モジュールが第二光学情報を検出するように、第一発光ランプと第二発光ランプが交差に発光させるステップと、前記画像検出モジュールが獲る第一光学情報と第二光学情報により検出区域にある遮光物の位置を検出するステップと、を含む前記光学式タッチ装置に適用する遮光物の位置測定方法を提供する。
【００２０】
上記課題を解決するために本発明では、光射出面と、前記光射出面と相対し且つ表面に鏡面式反射材料層が形成される表面と、前記光射出面と前記表面に接続される光入射面と、を具備する鏡面式導光体と、前記鏡面式導光体の光入射面に光線を提供する発光ランプと、を含む線状光源モジュールを提供する。前記線状光源モジュールで、前記発光ランプが発光する場合、鏡面式導光体が発光ランプの光線を線状光源にし、前記発光ランプが発光しない場合、鏡面式導光体が鏡面になる。
【発明の効果】
【００２１】
上述したように、前記第三導光体と第四導光体が鏡面式導光体から構成され、第一発光ランプと第二発光ランプが交差に発光する。前記第三導光体が鏡面の機能を起こす時、前記第四導光体が導光の機能を起こし、前記第三導光体が導光の機能を起こす時、前記第四導光体が鏡面の機能を起こす。従って、遮光物がブラインド区域に入って、遮光物の位置を検出できないか、正確に検出できない問題を解決することができる。即ち、ブラインド区域が形成する問題を防ぐことができる。且つ、前記第一発光ランプと第二発光ランプが交差に発光させて、前記画像検出装置が第一光学情報と第二光学情報を得るようにする。即ち、１つの光学情報で遮光物の位置を検出できない場合、他の光学情報を使って前記遮光物の位置を検出するようにして、ブラインド区域が形成する問題を防ぐ。且つ、本発明の導光体の表面に鏡面式反射材料層が形成されているので、前記発光モジュールがオフされる場合、導光部品の鏡面式反射材料層を鏡面に使うことができる。
【図面の簡単な説明】
【００２２】
【図１】従来の技術に係る光学式タッチ装置を示す図である。
【図２】従来の技術に係る他の光学式タッチ装置を示す図である。
【図３】本発明の第一実施形態に係る光学式タッチ装置を示す図である。
【図４】本発明の光学式タッチ装置に使う導光体を示す図である。
【図５】本発明の光学式タッチ装置に使う鏡面式導光体を示す図である。
【図６】本発明の光学式タッチ装置に使う他の実施形態の鏡面式導光体を示す図である。
【図７】本発明の光学式タッチ装置に使う他の実施形態の鏡面式導光体を示す図である。
【図８】本発明の遮光物の位置測定方法を説明するための図である。
【図９】本発明の遮光物の位置測定方法を説明するための図である。
【図１０】本発明の光学式タッチ装置２００を二点タッチ技術に使うことを説明する図である。
【図１１】本発明の光学式タッチ装置２００を二点タッチ技術に使うことを説明する図である。
【図１２】本発明の第二実施形態に係る光学式タッチ装置を示す図である。
【発明を実施するための形態】
【００２３】
図３は、本発明の第一実施形態に係る光学式タッチ装置を示す図である。図３の光学式タッチ装置２００は、導光部品２１０と、発光モジュール２２０と、画像検出モジュール２３０と、を含む。前記導光部品２１０は、矩形区域の４つの辺に順に配置される第一導光体２１２と、第二導光体２１４と、第三導光体２１６と、第四導光体２１８と、を含む。第一導光体２１２と、第二導光体２１４と、第三導光体２１６と、第四導光体２１８と、に囲まれる矩形区域が本実施形態の検出区域２１９になる。前記検出区域２１９の周囲で、前記第一導光体２１２と第三導光体２１６が向き合い、前記第二導光体２１４と第四導光体２１８が向き合う。前記発光モジュール２２０は、前記第三導光体２１６と前記第四導光体２１８に光線を提供する。前記検出区域２１９、前記第三導光体２１６及び前記第四導光体２１８は、みんな前記画像検出モジュール２３０の検出範囲に入っている。
【００２４】
図４は、本発明の光学式タッチ装置に使う導光体を示す図である。前記第一導光体２１２と第二導光体２１４は、図４に示す導光体３００から構成される。前記導光体３００は、第一表面３１１と、前記第一表面３１１と相対する光反射面３１２と、前記第一表面３１１と光反射面３１２に垂直に接続される光入射面３１３と、を含む。前記発光モジュール２２０の光線が前記光入射面３１３から前記導光体３００に入射され、前記光反射面３１２に反射される後、前記第一表面３１１から外部へ射出される。前記第一導光体２１２と第二導光体２１４が図４の導光体３００から構成される場合、第一導光体２１２の第一表面３１１及び第二導光体２１４の第一表面３１１と前記検出区域２１９（図３を参照なさい）が向き合うように配置されている。前記発光モジュール２２０は、前記第一導光体２１２の光入射面３１３と前記第二導光体２１４の光入射面３１３に光線を提供するように設置されている。前記第一導光体２１２の光反射面３１２と前記第二導光体２１４の光反射面３１２は、前記光入射面３１３から入射される光線が第一表面３１１を通過して前記検出区域２１９に到達するようにする（反射させる）。
【００２５】
図５は、本発明の光学式タッチ装置に使う鏡面式導光体を示す図である。前記第三導光体２１６と第四導光体２１８は、図５に示す鏡面式導光体４００から構成される。前記鏡面式導光体４００は、光射出面４１１と、前記光射出面４１１と相対する第二表面４１２と、前記光射出面４１１と前記第二表面４１２に接続される光入射面４１３と、を含む。前記第二表面４１２の表面には、鏡面式反射材料層が形成されている。前記光入射面４１３から前記鏡面式導光体４００に入射される外部の光線が前記第二表面４１２の鏡面式反射材料層に反射されて、前記光射出面４１１から射出する。前記鏡面式導光体４００に光線が入射されない場合、前記第二表面４１２を鏡面にして使うことができる。
【００２６】
本実施形態の鏡面式導光体４００は、半分の柱状体に形成されている。前記鏡面式導光体４００の光射出面４１１は、前記第二表面４１２に接続さえる半分の柱状面であり、前記第二表面４１２は、表面である。前記鏡面式導光体４００を前記半分の柱状体に形成するばかりでなく、他の真心或いは中空の柱状体に形成してもよい。前記第二表面４１２も曲面に形成してもよい。前記第三導光体２１６と第四導光体２１８がみんな図４に示す鏡面式導光体４００から構成される場合、第三導光体２１６の光射出面４１１及び第四導光体２１８の光射出面４１１と前記検出区域２１９（図３を参照なさい）が向き合うように配置されている。前記発光モジュール２２０の光線は、前記第三導光体２１６の光入射面４１３及び前記第四導光体２１８の光入射面４１３から前記鏡面式導光体４００の内部に入る。
【００２７】
図６は、本発明の光学式タッチ装置に使う他の実施形態の鏡面式導光体を示す図である。図６の鏡面式導光体４００ａと図５の鏡面式導光体４００が違う所は、二者の形状が違うことである。図６の鏡面式導光体４００ａは、平板４０１と、平板４０２と、平板４０３と、平板４０４から構成される中空体である。前記鏡面式導光体４００ａの光入射部４１３と光射出部４１１は平板を設置しない開口から形成されている。第二表面４１２は、前記光射出部４１１と向き合うように形成され、第二表面４１２の上には、鏡面式反射材料層が形成されている。前記第三導光体２１６と第四導光体２１８がみんな図６に示す鏡面式導光体４００ａから構成される場合、第三導光体２１６の光射出部４１１及び第四導光体２１８の光射出部４１１と前記検出区域２１９（図３を参照なさい）が向き合うように配置されている。前記発光モジュール２２０の光線は、前記第三導光体２１６の光入射部４１３及び前記第四導光体２１８の光入射部４１３から前記鏡面式導光体４００ａの内部に入る。
【００２８】
図７は、本発明の光学式タッチ装置に使う他の実施形態の鏡面式導光体を示す図である。図７の鏡面式導光体４００ｂと図６の鏡面式導光体４００ａが違う所は、本実施形態の鏡面式導光体４００ｂの光入射部４１３と光射出部４１１みんな透明板から構成されることである。図７の鏡面式導光体４００ｂは、平板４０１と、平板４０２と、平板４０３と、平板４０４と、透明板４０５と、透明板４０６から構成される中空体である。前記鏡面式導光体４００ｂの光入射部４１３が前記透明板４０５から構成され、前記光射出部４１１が前記透明板４０６から構成されている。前記第三導光体２１６と第四導光体２１８がみんな図７に示す鏡面式導光体４００ｂから構成される場合、第三導光体２１６の光射出部４１１及び第四導光体２１８の光射出部４１１と前記検出区域２１９（図３を参照なさい）が向き合うように配置されている。前記発光モジュール２２０の光線は、前記第三導光体２１６の光入射部４１３及び前記第四導光体２１８の光入射部４１３から前記鏡面式導光体４００ｂの内部に入る。前記透明板４０５と透明板４０６は、前記発光モジュール２２０の光線が光入射部４１３に入る後、前記光射出部４１１から出て前記検出区域２１９に到達するようにする。前記透明板４０５と透明板４０６の材料として、プラスチック薄膜、ガラスなどの透明な材料を使うことができる。
【００２９】
再度図３を参照しなさい。前記発光モジュール２２０は、第一発光ランプ２２２と、第二発光ランプ２２４と、を含む。本実施形態で、前記第一発光ランプ２２２は、前記第二導光体２１４と前記第三導光体２１６が隣接する所に位置している。前記第一発光ランプ２２２と前記第三導光体２１６が線状光源モジュールを形成し、前記第二発光ランプ２２４と前記第四導光体２１８が他の線状光源モジュールを形成する。前記第一発光ランプ２２２は、第三導光体２１６の光入射部３１３から第三導光体２１６の内部に入る光線と、第二導光体２１４の光入射部３１３から第二導光体２１４の内部に入る光線を提供する。前記第二発光ランプ２２４は、前記第一導光体２１２と前記第四導光体２１８が隣接する所に位置している。前記第二発光ランプ２２４は、第一導光体２１２の光入射部３１３から第一導光体２１２の内部に入る光線と、第四導光体２１８の光入射部３１３から第四導光体２１８の内部に入る光線を提供する。他の実施形態で、第一発光ランプ２２２と第二発光ランプ２２４を使わなく、他の発光ランプで第二導光体２１４と第一導光体２１２に光線を提供してよい。
【００３０】
前記第一発光ランプ２２２と第二発光ランプ２２４が交差に発光することができる。前記第一発光ランプ２２２がオンされ、前記第二発光ランプ２２４がオフされる場合、前記第一発光ランプ２２２が前記第三導光体２１６に光線を提供する。前記第三導光体２１６は、前記第一発光ランプ２２２の光線を線状光源にして前記検出区域２１９へ導光させる。前記第二発光ランプ２２４がオフされて第四導光体２１８に光線がないので、第四導光体２１８の鏡面機能を使うことができる。前記第一発光ランプ２２２がオフされ、前記第二発光ランプ２２４がオンされる場合、前記第二発光ランプ２２４が前記第四導光体２１８に光線を提供する。前記第四導光体２１８は、前記第二発光ランプ２２４の光線を線状光源にして前記検出区域２１９へ導光させる。前記第一発光ランプ２２２がオフされて第三導光体２１６に光線がないので、第三導光体２１６の鏡面機能を使うことができる。
【００３１】
前記画像検出モジュール２３０は、第一導光体２１２と、第二導光体２１４が隣接する所に位置している。前記検出区域２１９と、第三導光体２１６と、第四導光体２１８は、みんな前記画像検出モジュール２３０の検出範囲に入っている。前記画像検出モジュール２３０が前記検出区域２１９の遮光物と前記第三導光体２１６と第四導光体２１８の付近に形成される遮光物の鏡像を検出するので、遮光物の位置（座標）を正確に検出することができる。
【００３２】
前記光学式タッチ装置２００は、導光部品２１０と発光モジュール２２０を設置する基板（図に示さない）をさらに含むことができる。
【００３３】
以下、本発明の光学式タッチ装置２００適用する遮光物の位置測定方法に対して説明する。本発明の遮光物の位置測定方法は、以下のステップを含む。
【００３４】
まず、前記光学式タッチ装置２００の第一発光ランプ２２２と第二発光ランプ２２４を交差に発光させる。前記第一発光ランプ２２２がオンされ、前記第二発光ランプ２２４がオフされる場合、前記画像検出モジュール２３０が第一光学情報を検出し、前記第一発光ランプ２２２がオフされ、前記第二発光ランプ２２４がオンされる場合、前記画像検出モジュール２３０が第二光学情報を検出する。
【００３５】
次に、前記画像検出モジュール２３０は、獲る第一光学情報と第二光学情報により前記検出区域２１９にある遮光物の位置を検出することができる。
【００３６】
図８は、本発明の遮光物の位置測定方法を説明するための図である。前記第一発光ランプ２２２がオンされ、前記第二発光ランプ２２４がオフされる場合、前記第四導光体２１８の鏡面式反射層が鏡面になるので、遮光物Ｃの鏡像Ｃ１が第四導光体２１８の反対側に形成される。前記画像検出モジュール２３０は、前記遮光物Ｃと、その鏡像Ｃ１と、暗点Ｃ２と、暗点Ｃ３に関する第一光学情報を測定する。従って、検出する距離ｄ１、ｄ２ともう知っている情報により前記検出区域２１９にある前記遮光物Ｃの位置（座標）を検出する。もう知っている前記情報は、前記検出区域２１９のＸ軸長さ、検出区域２１９のＹ軸長さ、前記遮光物Ｃ或いはその鏡像Ｃ１と前記第四導光体２１８との間の最短距離などを指す。
【００３７】
図９は、本発明の遮光物の位置測定方法を説明するための図である。前記第一発光ランプ２２２がオフされ、前記第二発光ランプ２２４がオンされる場合、前記第三導光体２１６の鏡面式反射層が鏡面になるので、遮光物Ｃの鏡像Ｃ４が第三導光体２１６の反対側に形成される。前記画像検出モジュール２３０は、前記遮光物Ｃと、その鏡像Ｃ４と、暗点Ｃ５と、暗点Ｃ６に関する第二光学情報を測定する。従って、検出する距離ｄ５、ｄ６ともう知っている情報により前記検出区域２１９にある前記遮光物Ｃの位置（座標）を検出する。
【００３８】
次に、前記画像検出モジュール２３０が測定する第一光学情報と第二光学情報により前記検出区域２１９にある前記遮光物Ｃの位置を検出する。一般的な状況で、第一光学情報或いは第二光学情報だけで前記遮光物Ｃの位置を正確に検出することができる。
【００３９】
上述したように光学式タッチ装置に１つの鏡（或いは鏡の作用を起こせる部品）だけが設置されている場合、遮光物の位置を検出できないか、正確に検出できないブラインド区域（Blind Zone）が形成される。本実施形態の光学式タッチ装置２００で、前記第一発光ランプ２２２がオンされ、前記第二発光ランプ２２４がオフされ、且つ検出区域２１９の遮光物がブラインド区域に入っている場合、遮光物の位置に関する第一光学情報を得ることができない。しかし、前記第一発光ランプ２２２がオフされ、前記第二発光ランプ２２４がオンされる場合、検出区域２１９の遮光物がブラインド区域に入らないので、遮光物の位置に関する第二光学情報を得ることができる。従って、前記第二光学情報により前記検出区域２１９にある遮光物の位置を正確に検出することができる。図８に示される光学式タッチ装置のブラインド区域と、図９に示される光学式タッチ装置のブラインド区域が違いので、１つの光学情報を得ることができない場合、他の１つの光学情報を測定することにより遮光物の位置を正確に検出することができる。即ち、本発明の光学式タッチ装置は、検出区域２１９の遮光物がブラインド区域に入る場合、遮光物の位置を検出できないか、正確に検出できない問題を有効に解決することができる。
【００４０】
本発明の光学式タッチ装置と遮光物の位置測定方法は、二点タッチ技術（dual-touch）或いは多点タッチ技術（multi-touch）に適用する。以下、二点タッチ技術を例として説明する。
【００４１】
前記光学式タッチ装置２００を二点タッチ技術に使う時の位置測定方法と、上述した一点タッチ技術に使う時の位置測定方法がほぼ同じである。図１０は、本発明の光学式タッチ装置２００を二点タッチ技術に使うことを説明する図であり、図１１も、本発明の光学式タッチ装置２００を二点タッチ技術に使うことを説明する図である。
【００４２】
図１０で、前記第一発光ランプ２２２がオンされ、前記第二発光ランプ２２４がオフされる場合、前記第四導光体２１８の鏡面式反射層が鏡面になる。前記鏡面により前記検出区域２１９にある遮光物Ｅ、Ｆの鏡像Ｅ１、Ｆ１が前記第四導光体２１８の反対側にそれぞれ形成される。前記画像検出モジュール２３０は、前記遮光物Ｅと、その鏡像Ｅ１と、遮光物Ｆと、その鏡像Ｆ１と、暗点Ｍ１と、暗点Ｅ２と、暗点Ｆ２に関する第一光学情報を測定する。前記暗点Ｍ１は、２つの鏡像が重なって形成されることである。前記第一光学情報は、遮光物Ｅ、Ｆの位置と、実に存在しないゴースト像（ghost image）Ｇ１の位置に関する情報を含むので、前記第一光学情報だけで前記遮光物Ｅ、Ｆの正確な位置を確認することができない。
【００４３】
図１１で、前記第一発光ランプ２２２がオフされ、前記第二発光ランプ２２４がオンされる場合、前記第三導光体２１６の鏡面式反射層が鏡面になる。前記鏡面により前記検出区域２１９にある遮光物Ｅ、Ｆの鏡像Ｅ３、Ｆ３が前記第三導光体２１６の反対側にそれぞれ形成される。前記画像検出モジュール２３０は、前記遮光物Ｅと、その鏡像Ｅ３と、遮光物Ｆと、その鏡像Ｆ３と、暗点Ｍ２と、暗点Ｅ４と、暗点Ｆ４に関する第二光学情報を測定する。前記暗点Ｍ２は、２つの鏡像が重なって形成されることである。前記第二光学情報は、遮光物Ｅ、Ｆの位置と、実に存在しないゴースト像（ghost image）Ｇ２の位置に関する情報を含むので、前記第二光学情報だけで前記遮光物Ｅ、Ｆの正確な位置を確認することができない。しかし、前記第一光学情報が遮光物Ｅと遮光物Ｆの位置を含み、前記第二光学情報も遮光物Ｅと遮光物Ｆの位置を含むので、前記ゴースト像Ｇ１、Ｇ２の位置を除き、前記遮光物Ｅ、Ｆの正確な位置を検出することができる。
【００４４】
本発明の光学式タッチ装置２００とその遮光物の位置測定方法は、前記第一発光ランプ２２２と前記第二発光ランプ２２４が交差に発光するようにするので、第一発光ランプ２２２がオンされ、第二発光ランプ２２４がオフされる場合の第一光学情報と、第一発光ランプ２２２がオフされ、第二発光ランプ２２４がオンされる場合の第二光学情報を得ることができる。前記第一光学情報と第二光学情報により遮光物の位置を容易に検出し、本発明の光学式タッチ装置２００とその遮光物の位置測定方法を二点タッチ技術或いは多点タッチ技術に適用することができる。
【００４５】
図１２は、本発明の第二実施形態に係る光学式タッチ装置を示す図である。図１２の光学式タッチ装置２００ａと上述した光学式タッチ装置２００が違う所は、第一導光体２１２’と、第二導光体２１４’が１つの反射面５１１を具備する反射素子から構成されることである。前記第一導光体２１２’と第二導光体２１４’が反射素子から構成される実施形態で、第一導光体２１２’と第二導光体２１４’の第一表面が反射面５１１になる。本実施形態の発光モジュール２２０’は、前記第一導光体２１２’と前記第二導光体２１４’が隣接する所に設置されて、検出区域２１９に光線を提供する第三発光ランプ２２６をさらに含む。前記光学式タッチ装置２００ａが作動する場合、前記第三発光ランプ２２６がずっと発光する。前記第三発光ランプ２２６の光線は、前記第一導光体２１２’と前記第二導光体２１４’の第一表面（即ち反射面５１１）に反射されて、前記検出範囲２１９に到達する。前記光学式タッチ装置２００ａの第一発光ランプ２２２は、第三導光体２１６用光線だけを提供し、第二発光ランプ２２４は、第四導光体２１８用光線だけを提供する。本発明で、前記第一発光ランプと、前記第二発光ランプと、前記第三発光ランプがみんな発光ダイオードから構成されている。
【００４６】
上述したように、本発明の光学式タッチ装置とその遮光物の位置測定方法は、以下の利点を有することをわかることができる。
【００４７】
第一、本発明で、第一発光ランプと第二発光ランプが交差に発光させて、光学式タッチ装置に不同なブラインド区域が形成されるようにする。即ち、１つの光学情報で遮光物の位置を検出できない場合、他の光学情報を使って前記遮光物の位置を検出することができる。従って、本発明の光学式タッチ装置は、検出区域の遮光物がブラインド区域に入る場合、遮光物の位置を検出できないか、正確に検出できない問題を有効に解決することができる。
【００４８】
第二、本発明の光学式タッチ装置とその遮光物の位置測定方法を二点タッチ領域或いは多点タッチ領域に使う場合、前記画像検出装置が検出する光学情報が少ないので、即ち暗点の数量が少ないので、遮光物の位置を検出過程が簡単になる。即ち、二点タッチ領域或いは多点タッチ領域で本発明の光学式タッチ装置とその遮光物の位置測定方法を容易に使うことができる。
【００４９】
第三、本発明の導光部品の表面（即ち、第二表面）に鏡面式反射材料層が形成されているので、前記発光モジュールがオフされる場合、導光部品の鏡面式反射材料層を鏡面に使うことができる。
【符号の説明】
【００５０】
１００、１００ａ  従来の光学式タッチ装置
１１０、１１０ａ  導光部品
１１２ａ、１１２ｂ  導光体
１１４、１１４ａ、１１４ｂ  鏡
１１６  検出区域
１２０  発光部品
１３０  画像検出モジュール
１５０、１５０ａ  ブラインド区域
２００、２００ａ  光学式タッチ装置
２１０  導光部品
２１２  第一導光体
２１４  第二導光体
２１６  第三導光体
２１８  第四導光体
２２０  発光モジュール
２１９  検出区域
２３０  画像検出モジュール
２２２  第一発光ランプ
２２４  第二発光ランプ
２２６  第三発光ランプ
２３０  画像検出装置
３００  導光体
３１１  第一表面
３１２  光反射面
３１３  光入射面
４００、４００ａ、４００ｂ  鏡面式導光体
４１１  光射出部
４１２  第二表面
４１０、４０２、４０３、４０４  平板
４０５、４０６  透明板
４１３  光入射部
５１３  反射面
【図１】
0005552296.tif 000002
【図２】
0005552296.tif 000003
【図３】
0005552296.tif 000004
【図４】
0005552296.tif 000005
【図５】
0005552296.tif 000006
【図６】
0005552296.tif 000007
【図７】
0005552296.tif 000008
【図８】
0005552296.tif 000009
【図９】
0005552296.tif 000010
【図１０】
0005552296.tif 000011
【図１１】
0005552296.tif 000012
【図１２】
0005552296.tif 000013